(57)【特許請求の範囲】
【請求項１】
輝度信号の黒ピークとともに映像信号のＡＰＬを検出する、並列接続される抵抗とコンデンサからなる兼用フィルタと、
前記兼用フィルタの前記ＡＰＬの検出結果に応じて、輝度信号のホワイトピークリミットのレベルを可変とするホワイトピークリミット可変回路と、
を備えたことを特徴とする映像信号処理回路。
【請求項２】
前記兼用フィルタの前記黒ピークの検出結果に応じて、輝度信号を黒伸長する黒伸長回路を更に備え、
前記ホワイトピークリミット可変回路に入力される輝度信号は、前記黒伸長回路で黒伸長された輝度信号であることを特徴とする請求項１記載の映像信号処理回路。
【請求項３】
前記黒伸長回路は、
輝度信号のペデスタルレベルを基準電圧で定められるレベルにクランプするペデスタルクランプ回路と、
前記ペデスタルクランプ回路でクランプされた輝度信号の黒信号を伸長する非線型増幅回路と、
前記兼用フィルタの前記黒ピークの検出結果に従って、前記非線型増幅回路で黒伸長された輝度信号の黒ピークをホールドする黒ピークホールド回路と、
前記ペデスタルクランプ回路でクランプされたペデスタルレベルの値と、前記黒ピークホールド回路でホールドされた黒ピークの値とを比較する比較回路と、
前記比較回路の比較結果に応じて、前記非線型増幅回路のスタートポイントを変えるスタートポイント設定回路と、
を有することを特徴とする請求項２記載の映像信号処理回路。
【請求項４】
前記ホワイトピークリミット可変回路は、
輝度信号が入力されるバッファ用のトランジスタと、
前記バッファ用のトランジスタから出力される輝度信号のホワイトピークをリミットするリミット用のトランジスタと、
前記リミット用のトランジスタのための前記ホワイトピークリミットのレベル最小値を設定するレベル設定用のトランジスタと、
前記レベル設定用トランジスタの出力と前記リミット用トランジスタの入力の間に接続される抵抗と、
前記兼用フィルタの前記ＡＰＬの検出結果に応じて、前記抵抗を流れる電流を可変とする制御用のトランジスタと、を有し、
前記リミット用のトランジスタは、前記抵抗を流れる電流の大きさに応じて前記ホワイトピークリミットのレベルを可変とする、ことを特徴とする請求項１記載の映像信号処理回路。
【発明の詳細な説明】
【０００１】
【発明の属する技術分野】
本発明は、ＴＶ受像機において映像信号の白側に含まれるノイズ等の大きな信号をリミットするレベルを映像信号のＡＰＬにより可変できる様にした映像信号処理回路に関する。
【０００２】
【従来の技術】
ＴＶ受像機において、輝度信号の白側にノイズがあるとブルーミングを起こす為、通常あるレベルで白側信号のピークをクリップするリミッタを入れている。
【０００３】
即ち図６はテレビ信号処理ブロック図で、テレビ送信機から送信され、図示されていないチューナに受信された電波は映像中間周波増幅及び映像検波等され映像信号が取出される。その取出された映像信号はクロマバンドパスフイルタ１を経てクロマ復調回路２に加わり、色信号のＲ−Ｙ、Ｇ−ＹそしてＢ−Ｙを復調する。前記色信号のＲ−Ｙ、Ｇ−ＹそしてＢ−Ｙはマトリクス回路３に加わる。
【０００４】
一方前記映像信号の一部はクロマトラップ回路４にも加わり、輝度信号（Ｙ信号）が取出される。そして、デイレー回路５で遅延された後、黒伸長、直流再生、ホワイトピークリミットを行う回路６に印加される。これらの回路６に印加された輝度信号は、先ず黒レベルの黒伸長及び直流再生された後、さらに輝度信号の白レベルにノイズがあるとブルーミングを起こすので、ホワイトピークリミットで輝度信号の白レベルのピークを一定の値でクリップしている。
【０００５】
このようにして信号処理された輝度信号はマトリクス回路３に加えられ、前記色信号のＲ−Ｙ、Ｇ−ＹそしてＢ−Ｙとマトリクスされ、Ｒ、Ｇ、Ｂの各信号を取出しブラウン管に加えられ画像を映し出す。
【０００６】
【発明が解決しようとする課題】
前記輝度信号の白側にノイズがあるとブルーミングを起こす為、従来はホワイトピーククリミットを行う回路を設け、白側の信号をある一定レベルでピーククリップしている。このピーククリップするレベルは、低い方がノイズに対して効果があるが、余り低いと映像信号に影響を及ぼすため低くできず、従来は多少のノイズを容認していた。
【０００７】
【課題を解決するための手段】
本発明は入力端子よりの輝度信号が加えられたホワイトピークリミット可変回路のホワイトピークリミットのレベルを映像信号のＡＰＬ検出の値によって可変できるようにし、映像信号のＡＰＬが低い時にはホワイトピークリミットのレベルを低くし、ＡＰＬが高い時にはホワイトピークリミットのレベルを高くして映像信号に影響を与えないようにする。
【０００８】
また前記ＡＰＬを検出するにあたっては輝度信号の黒伸長のため、黒ピーク検出回路のピンに接続された黒ピーク検出用のフイルタを兼用することによって集積回路のピン数を増やすことなく、ＡＰＬによってホワイトピークリミットのレベルを可変できるようにした映像信号処理回路に関する。
【０００９】
【発明の実施の形態】
図１は本発明の映像信号処理回路のうちの図６に示す黒伸長、直流再生及びホワイトピークリミット回路６の部分の詳細なブロック図で、黒伸長回路１０とＡＰＬに応じて前記黒伸長された直流再生率を可変する直流再生率可変回路１１及びホワイトピークリミット可変回路１２とよりなる。
【００１０】
前記黒伸長回路１０は図６のクロマトラップ回路４及びデイレー５を介して入力端子ＩＮに加えられた前記輝度信号のペデスタル部分をペデスタルレベルとなる基準電圧１/２Ｖｃｃにクランプするペデスタルクランプ回路１３、前記クランプされた輝度信号の黒信号を伸長する非線型増幅回路１４、黒ピークを検出する際に妨害となる同期信号及びペデスタル部分を除去するＨＶブランキング回路１５、前記同期信号及びペデスタル部分が除去された輝度信号成分より黒ピークを検出しホールドする黒ピークホールド回路１６、前記ペデスタルクランプ回路１３でクランプされたペデスタルレベルの値と黒ピークホールド回路１６で検出された黒ピークの値と比較する比較回路１７及び前記比較回路１７で比較された結果に応じて前記非線型増幅回路１４のスタートポイントを変えるスタートポイント設定回路１８とよりなる。
【００１１】
前記黒伸長回路１０、直流再生可変回路１１およびホワイトピークリミット可変回路１２は集積回路化されており、前記黒伸長回路１０の黒ピークホールド回路１６と直流再生率可変回路１１及びホワイトピークリミット可変回路１２に共通にされたピン２０が設けられている。
【００１２】
前記共通に接続されたピン２０にはコンデンサ２１と抵抗２２よりなる黒ピークの検出とＡＰＬの検出とを兼用した兼用フイルタ２３が接続されている。
【００１３】
次ぎに動作を説明すると、入力端子ＩＮに加えられた輝度信号はペデスタルクランプ回路１３でペデスタル部分を基準電圧１/２Ｖｃｃにクランプする。クランプされた輝度信号は非線型増幅回路１４に加わる。
【００１４】
一方前記ＨＶブランキング回路１５に加えられたＨ（水平ブランキング）及びＶ（垂直ブランキング）の信号は同期信号及びペデスタル部分が除去され輝度信号成分のみとなり、黒ピークホールド回路１６に印加され黒ピークがホールドされる。前記黒ピークホールド回路１６でホールドされた黒ピークの値は比較回路１７に加わり、該比較回路１７においてペデスタルクランプ回路１３でクランプされたペデスタルの値と比較され、黒ピークがペデスタルより上であればスタートポイントが上がり、黒ピークが下がり輝度信号の黒伸長される。
【００１５】
図２に示すように、スタートポイント以下の輝度信号のゲイン（傾き）は変わらずに、スタートポイントのみが平行移動し黒伸長を行う。
【００１６】
図３に示すように、黒ピークホールド回路１６の値によりスタートポイントを変えることにより例えば０ＩＲＥから１００ＩＲＥまで可変できる。
【００１７】
前述のように入力端子ＩＮに加えられた輝度信号はペデスタルクランプ回路１３でペデスタル部分を基準電圧１/２Ｖｃｃにクランプする。前記クランプされた輝度信号は非線型増幅回路１３に加わり黒伸長された後、直流再生率可変回路１１に加わる。
【００１８】
また、ピン２０に設けたコンデンサ２１及び抵抗２２よりなる兼用フイルタ２３で黒ピークに応じた信号を検出する。ここで、兼用フイルタ２３の時定数はコンデンサ２１が１μＦ程度、抵抗２２が約６８０ＫΩと大きいので、この黒ピークに応じた信号をＡＰＬ信号として、後述するホワイトピークリミッタに利用することができる。このように、ＡＰＬ検出は実際には行わず、兼用フイルタ２３の電圧値をＡＰＬ信号の代用としているが、以下では便宜上、この黒ピークに応じた信号をＡＰＬ信号という。
【００１９】
こうして、兼用フイルタ２３（黒ピークフィルタ）で検出されたＡＰＬ信号は直流再生率可変回路１１に加わり、輝度信号にＡＰＬに応じた直流分を再生した後、にホワイトピークリミット可変回路１２に加わる。ホワイトピークリミット可変回路１２には輝度信号と共に兼用フイルタ２３で検出されたＡＰＬ信号も加わる。
【００２０】
図４に示すように、ホワイトピークリミット可変回路１２では映像信号のＡＰＬに応じてホワイトピークリミットのレベルを変えている。即ち映像信号のＡＰＬが低い時にはホワイトピークリミットのレベルを低くしノイズを有効に抑えている。この時映像信号が暗い為ホワイトピークリミットのレベルを低くしても映像信号に影響を与えない。逆に検出された映像信号のＡＰＬが高い時にはホワイトピークリミット可変回路１２のホワイトピークリミットのレベルを高くし映像信号に影響を与えないようにしている。
【００２１】
図５は前記ホワイトピークリミット可変回路１２の具体的な回路図である。２５は前記直流再生率可変回路１１からの輝度信号が加えられるバッファ用のトランジスタでエミッタからリミットされた映像信号が出力される。２６はホワイトピークリミットを行うリミット用のトランジスタで、エミッタは定電流回路２７を介し電源電圧Ｖｃｃが供給され、コレクタはアースされている。
【００２２】
２８は前記リミット用のトランジスタ２６のホワイトピークリミットの最小レベルを決めるためのレベル設定用のトランジスタで、ベースにホワイトピークリミットの最小レベルの値を決める電圧Ａを有する電池２４が接続され、又コレクタには電源Ｖｃｃが供給され、更にエミッタは抵抗２９を介して前記第１トランジスタ２６のベースに接続されている。
【００２３】
３０は第１トランジスタで、エミッタは電源Ｖｃｃに接続されている。３１、３２及び３３、３４は夫々電流ミラー回路を構成する第２、第３、第４及び第５トランジスタで、第２トランジスタ３１のコレクタは第１トランジスタ３０のコレクタに接続されている。また第３トランジスタ３２のコレクタは第４トランジスタ３３のコレクタに接続されている。
【００２４】
３５はベースが黒ピークホールド回路１６に設けられたピン２０に接続された制御用の第１トランジスタ、３６は制御用の第２トランジスタでベースにペデスタルレベル１/２Ｖｃｃを定める電池３７が接続されている。制御用の前記第１トランジスタ３５と第２トランジスタ３６のエミッタは抵抗３８及び抵抗３９を介し結合され、定電流回路４０を介しアースされており、また制御用の第１トランジスタ３５のコレクタはダイオード接続されたトランジスタ４２を介して電源電圧Ｖｃｃが供給される。さらに制御用の第２トランジスタ３６のコレクタは前記電流ミラー回路を構成する第５トランジスタ３４のコレクタに接続されている。
【００２５】
今前述したように、入力端子ＩＮに加えられ、ペデスタルクランプ回路１３でペデスタルレベルにクランプされた輝度信号が非線型増幅器１４にて前記ペデスタルクランプされたレベルの値と黒ピークホールド回路１６でピークホールドされた値とが比較回路１８で比較され輝度信号の黒伸長される。
【００２６】
前記黒伸長された輝度信号は直流再生率可変回路１１でＡＰＬに応じた直流分が再生されホワイトピ−クリミット可変回路１２のバッファ用のトランジスタ２５のベースに加わる。
【００２７】
一方ホワイトピ−クリミット可変回路１２の制御用の第１トランジスタ３５のベースには兼用フイルタ２３で検出されたＡＰＬに応じた信号が加えられる。ところで輝度信号が明るいとき検出された信号はＶｃｃ／２よりも高いので、第１トランジスタ３５がより導通しコレクタ・エミッタ間に流れる電流が増加するので、第２トランジスタ３６のコレクタ・エミッタ間に流れる電流が減少する。
【００２８】
制御用の第２トランジスタ３６のコレクタ・エミッタ間に流れる電流が減少すると、ミラー回路を構成する第５トランジスタ３４に流れる電流が減少する。これに伴い、第２トランジスタ３１のコレクタ・エミッタ間に流れる電流が減少し、第１のトランジスタ３０に流れる電流は増加する。
【００２９】
そして、第１のトランジスタ３０と第２のトランジスタ３１に流れる電流の差分が抵抗２９に流れ、リミット用トランジスタ２６のベース電圧を上昇させ、ホワイトピークリミットのピークレベルを高め、バッファ用のトランジスタ２５のエミッタに取出された輝度信号の白側のピークをあまりリミットすることなく出力する。
【００３０】
逆に輝度信号が暗いときに検出された信号はＶｃｃ／２に近づくので、制御用の第１トランジスタ３５と第２のトランジスタ３６に流れる電流がバランスし、抵抗２９に電流が流れなくなり、リミット用トランジスタ２６のエミッタ電圧（リミット電圧）は電池２４で決まるレベルに近づき、白側の信号ピークを十分リミットする。
【００３１】
こうして、上述した構成ホワイトピークリミット可変回路の１２によれば、輝度信号のホワイトピークリミットのレベルを映像信号のＡＰＬによって可変にすることができる。
【００３２】
【発明の効果】
本発明の映像信号処理回路は入力端子より輝度信号が加えられたホワイトピークリミット可変回路のクリップレベルを映像信号のＡＰＬによって可変できるようにした。従って映像信号のＡＰＬが低く映像信号が暗いとき、ホワイトピークリミットのレベルを低くし映像信号に影響を与えずノイズの除去を十分に行うことが出来る。また逆に前記映像信号のＡＰＬが高いときにはホワイトピークリミットのレベルを高くして映像信号に影響を与えない様にできる。
【００３３】
前記映像信号のＡＰＬは黒ピーク検出用のフイルタをそのまま兼用できるので、集積回路にＡＰＬを検出するためのピンを追加する必要がない。
【００３４】
さらにホワイトピークリミットを行うリミット用のトランジスタにホワイトピークリミットの最小レベルを定めるレベル設定用のトランジスタを接続したので、映像信号が明るくＡＰＬが低い時でもノイズをリミットするに必要な最小ホワイトピークリミットのレベルは保持される。
【図面の簡単な説明】
【図１】本発明の映像処理回路のブロック図である。
【図２】本発明の映像処理回路の黒伸長の開始を示す特性図である。
【図３】本発明の映像処理回路の黒伸長を説明するための波形図である。
【図４】本発明の映像処理回路のホワイトピークリミットの特性図である。
【図５】本発明の映像処理回路のホワイトピークリミット可変回路の一実施例を示す回路図である。
【図６】本発明の映像処理回路を用いたテレビ信号処理回路のブロック図である。
【符号の説明】
６    黒伸長直流再生ホワイトピークリミット回路
１０  黒伸長回路
１１  直流再生率可変回路
１２  ホワイトピークリミット可変回路
１３  ペデスタルクランプ回路
１４  非線型増幅回路
１６  黒ピークホールド回路
１７  比較回路
１８  スタートポイント設定回路
２０  ピン
２３  兼用フイルタ
２５  バッファ用のトランジスタ
２６  リミット用のトランジスタ
２８  最小リミットのレベルレベル設定用のトランジスタ
３５  制御用の第１トランジスタ
３６  制御用の第２トランジスタ
【図１】
0003902390.tif 000002
【図２】
0003902390.tif 000003
【図３】
0003902390.tif 000004
【図４】
0003902390.tif 000005
【図５】
0003902390.tif 000006
【図６】
0003902390.tif 000007